(57)【特許請求の範囲】
【請求項１】
マルチメディアブロードキャスト／マルチキャストサービス（ＭＢＭＳ）制御シグナリングの伝送方法であって、
ネットワークが、ＭＢＭＳ制御チャネルを伝送する無線フレームおよび/またはサブフレームの指示情報を上位層シグナリングを介して端末へ送信し、前記ＭＢＭＳ制御チャネルを伝送する前記無線フレームおよび/または前記サブフレームを介して前記端末へ前記ＭＢＭＳ制御シグナリングを送信し、
前記端末が、前記無線フレームおよび/または前記サブフレームの前記送信された指示情報に従って解析することによって、前記ＭＢＭＳ制御チャネルを伝送する前記無線フレームおよび/または前記サブフレームを取得し、前記ＭＢＭＳ制御シグナリングを前記無線フレームおよび/または前記サブフレームから読み取り、
前記上位層シグナリングは、システムブロードキャストメッセージ、無線リソース制御（ＲＲＣ）メッセージ、または専用シグナリングであり、
前記ＭＢＭＳ制御チャネルを伝送する前記無線フレームおよび前記サブフレームの前記指示情報は、
前記ＭＢＭＳ制御チャネルを伝送する前記無線フレームおよび前記サブフレームの出現期間情報および送信オフセット情報を含み、
ＳＦＮ  ｍｏｄ  ＰｍｃｃｈＰｅｒｉｏｄ＝ＰｍｃｃｈＯｆｆｓｅｔという変換関係式に従って解析することによって、前記ＭＢＭＳ制御チャネルを伝送する前記無線フレームを取得するステップを含み、
式中、前記ＳＦＮはシステムフレーム番号を表し、０または正の整数の値をとり、前記ＰｍｃｃｈＰｅｒｉｏｄは前記ＭＢＭＳ制御チャネルを伝送する前記無線フレームおよび/または前記サブフレームの前記出現期間情報を表し、前記ＰｍｃｃｈＯｆｆｓｅｔは前記ＭＢＭＳ制御チャネルを伝送する前記無線フレームおよび前記サブフレームのうちの少なくとも１つの前記送信オフセット情報を表し、ＳＦＮ＝０の前記無線フレームに関して０または前記ＰｍｃｃｈＰｅｒｉｏｄ未満の正の整数の値をとり、前記ｍｏｄはモジュロ演算を表し、前記ＭＢＭＳ制御チャネルを伝送する前記無線フレームは前記変換関係式ＳＦＮ  ｍｏｄ  ＰｍｃｃｈＰｅｒｉｏｄ＝ＰｍｃｃｈＯｆｆｓｅｔを満たすＳＦＮに対応する前記無線フレームを指す
ＭＢＭＳ制御シグナリングの伝送方法。
【請求項２】
請求項１に記載のＭＢＭＳ制御シグナリングの伝送方法であって、
前記ＭＢＭＳ制御チャネルは、マルチキャスト制御チャネル（ＭＣＣＨ）、プライマリマルチキャスト制御チャネル（Ｐ−ＭＣＣＨ）、セカンダリマルチキャスト制御チャネル（Ｓ−ＭＣＣＨ）、マルチキャスト指示チャネル（ＭＩＣＨ）、またはマルチキャスト伝送チャネル（ＭＴＣＨ）である
ＭＢＭＳ制御シグナリングの伝送方法。
【請求項３】
請求項１に記載のＭＢＭＳ制御シグナリングの伝送方法であって、
前記ＭＢＭＳ制御チャネルを伝送する前記無線フレームおよび/または前記サブフレームの前記指示情報は、
前記ＭＢＭＳ制御チャネルの前記無線フレームおよび/または前記サブフレーム上で伝送される前記制御シグナリングの送信オフセット情報と、
前記ＭＢＭＳ制御チャネルの前記無線フレームおよび/または前記サブフレームで伝送される前記制御シグナリングの反復期間情報および修正期間情報とのうちの少なくとも１つを含み、
前記ＭＢＭＳ制御チャネルを伝送する前記無線フレームおよび/または前記サブフレームの前記指示情報は、ＭＢＳＦＮ（ＭＢＭＳ単一周波数ネットワーク）無線フレーム期間と、ＭＢＳＦＮ無線フレームオフセットとをさらに含む
ＭＢＭＳ制御シグナリングの伝送方法。
【請求項４】
請求項３に記載のＭＢＭＳ制御シグナリングの伝送方法であって、
前記無線フレームの前記指示情報に従って解析することによって、前記ＭＢＭＳ制御チャネルを伝送する前記無線フレームを取得する前記ステップは、具体的には、
ＳＦＮ  ｍｏｄ  ＰｍｃｃｈＰｅｒｉｏｄ＝ＰｍｃｃｈＯｆｆｓｅｔおよびＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔという変換関係式に従って解析することによって、前記ＭＢＭＳ制御チャネルを伝送する前記無線フレームを取得するステップを含み、
式中、前記ＳＦＮはシステムフレーム番号を表し、正の整数の値をとり、前記ｒａｄｉｏＦｒａｍｅＡｌｌｏｃａｔｉｏｎＰｅｒｉｏｄは前記ＭＢＳＦＮ無線フレーム期間を表し、前記ｒａｄｉｏＦｒａｍｅＡｌｌｏｃａｔｉｏｎＯｆｆｓｅｔは前記ＭＢＳＦＮ無線フレームオフセットを表し、０以上、前記ｒａｄｉｏＦｒａｍｅＡｌｌｏｃａｔｉｏｎＰｅｒｉｏｄ未満の正の整数の値をとり、前記ＰｍｃｃｈＰｅｒｉｏｄは前記ＭＢＭＳ制御チャネルを伝送する前記無線フレームおよび/または前記サブフレームの前記出現期間情報を表し、前記ｒａｄｉｏＦｒａｍｅＡｌｌｏｃａｔｉｏｎＰｅｒｉｏｄ以上の整数の値をとり、前記ＰｍｃｃｈＯｆｆｓｅｔは前記ＭＢＭＳ制御チャネルを伝送する前記無線フレームおよび/または前記サブフレームの前記送信オフセット情報を表し、ＳＦＮ＝０の前記無線フレームに関して０または前記ＰｍｃｃｈＰｅｒｉｏｄ未満の正の整数の値をとり、前記ｍｏｄはモジュロ演算を表し、前記ＭＢＭＳ制御チャネルを伝送する前記無線フレームは前記変換関係式ＳＦＮ  ｍｏｄ  ＰｍｃｃｈＰｅｒｉｏｄ＝ＰｍｃｃｈＯｆｆｓｅｔを満たすかまたは前記２つの変換関係式を同時に満たすＳＦＮに対応する前記無線フレームを指す
ＭＢＭＳ制御シグナリングの伝送方法。
【請求項５】
請求項３に記載のＭＢＭＳ制御シグナリングの伝送方法であって、
前記ネットワークが、前記送信オフセットと前記ＭＢＳＦＮ無線フレームオフセットとの所定の対応関係に従って、前記ＭＢＳＦＮ無線フレームオフセットを介して前記送信オフセットを前記端末に暗黙に通知するステップと、
前記ネットワークが、前記反復期間と前記ＭＢＳＦＮ無線フレーム期間との所定の対応関係に従って、前記ＭＢＳＦＮ無線フレーム期間を介して前記反復期間を前記端末に暗黙に通知するステップと、
前記ネットワークが、前記反復期間と前記修正期間との所定の対応関係に従って、前記反復期間を介して前記修正期間を前記端末に暗黙に通知するステップと、
前記ネットワークが、前記反復期間と前記修正期間との前記所定の対応関係に従って、修正期間を介して前記反復期間を前記端末に暗黙に通知するステップとのうちの少なくとも１つをさらに含む
ＭＢＭＳ制御シグナリングの伝送方法。
【請求項６】
請求項１に記載のＭＢＭＳ制御シグナリングの伝送方法であって、
前記ネットワークが、前記ＭＢＭＳ制御チャネルを伝送する前記無線フレームおよび/または前記サブフレームの前記指示情報を前記上位層シグナリングを介して前記端末へ送信する前記ステップは、
前記ネットワークが、前記ＭＢＭＳ制御チャネルを伝送する前記無線フレームの情報を前記上位層シグナリングを介して前記端末に通知することに基づいて、前記上位層シグナリングを介してビットマップの方式、サブフレーム番号を指示する方式、またはサブフレームを固定する方式で、前記ＭＢＭＳ制御チャネルを伝送する前記無線フレームにおいて実際に前記ＭＢＭＳ制御チャネルを伝送するサブフレームの情報を前記端末に対してさらに指示するステップである
ＭＢＭＳ制御シグナリングの伝送方法。
【請求項７】
ネットワークが、ＭＢＭＳ制御チャネルを伝送する無線フレームおよび/またはサブフレームの指示情報を上位層シグナリングを介して端末へ送信し、前記ＭＢＭＳ制御チャネルを伝送する前記無線フレームおよび/または前記サブフレームを介して前記端末へＭＢＭＳ制御シグナリングを送信する、ＭＢＭＳ制御シグナリングの伝送方法であって、
前記上位層シグナリングは、システムブロードキャストメッセージ、無線リソース制御（ＲＲＣ）メッセージ、または専用シグナリングであり、
前記ＭＢＭＳ制御チャネルを伝送する前記無線フレームおよび前記サブフレームの前記指示情報は、
前記ＭＢＭＳ制御チャネルを伝送する前記無線フレームおよび前記サブフレームの出現期間情報および送信オフセット情報を含み、
ＳＦＮ  ｍｏｄ  ＰｍｃｃｈＰｅｒｉｏｄ＝ＰｍｃｃｈＯｆｆｓｅｔという変換関係式に従って解析することによって、前記ＭＢＭＳ制御チャネルを伝送する前記無線フレームを取得するステップを含み、
式中、前記ＳＦＮはシステムフレーム番号を表し、０または正の整数の値をとり、前記ＰｍｃｃｈＰｅｒｉｏｄは前記ＭＢＭＳ制御チャネルを伝送する前記無線フレームおよび/または前記サブフレームの前記出現期間情報を表し、前記ＰｍｃｃｈＯｆｆｓｅｔは前記ＭＢＭＳ制御チャネルを伝送する前記無線フレームおよび前記サブフレームのうちの少なくとも１つの前記送信オフセット情報を表し、ＳＦＮ＝０の前記無線フレームに関して０または前記ＰｍｃｃｈＰｅｒｉｏｄ未満の正の整数の値をとり、前記ｍｏｄはモジュロ演算を表し、前記ＭＢＭＳ制御チャネルを伝送する前記無線フレームは前記変換関係式ＳＦＮ  ｍｏｄ  ＰｍｃｃｈＰｅｒｉｏｄ＝ＰｍｃｃｈＯｆｆｓｅｔを満たすＳＦＮに対応する前記無線フレームを指す
ＭＢＭＳ制御シグナリングの伝送方法。
【請求項８】
請求項７に記載のＭＢＭＳ制御シグナリングの伝送方法であって、
前記ＭＢＭＳ制御チャネルは、ＭＣＣＨ、Ｐ−ＭＣＣＨ、Ｓ−ＭＣＣＨ、ＭＩＣＨまたはＭＴＣＨである
ＭＢＭＳ制御シグナリングの伝送方法。
【請求項９】
請求項７に記載のＭＢＭＳ制御シグナリングの伝送方法であって、
前記ＭＢＭＳ制御チャネルを伝送する前記無線フレームおよび/または前記サブフレームの前記指示情報は、
前記ＭＢＭＳ制御チャネルの前記無線フレームおよび/または前記サブフレームで伝送される前記制御シグナリングの送信オフセット情報と、
前記ＭＢＭＳ制御チャネルの前記無線フレームおよび/または前記サブフレームに伝送される前記制御シグナリングの反復期間情報および修正期間情報とのうちの少なくとも１つを含み、
前記ＭＢＭＳ制御チャネルを伝送する前記無線フレームおよび/または前記サブフレームの指示情報は、ＭＢＳＦＮ無線フレーム期間と、ＭＢＳＦＮ無線フレームオフセットとをさらに含む
ＭＢＭＳ制御シグナリングの伝送方法。
【請求項１０】
請求項９に記載のＭＢＭＳ制御シグナリングの伝送方法であって、
前記ネットワークが、前記送信オフセットと前記ＭＢＳＦＮ無線フレームオフセットとの所定の対応関係に従って、前記ＭＢＳＦＮ無線フレームオフセットを介して前記送信オフセットを前記端末に暗黙に通知するステップと、
前記ネットワークが、前記反復期間と前記ＭＢＳＦＮ無線フレーム期間との所定の対応関係に従って、前記ＭＢＳＦＮ無線フレーム期間を介して前記反復期間を前記端末に暗黙に通知するステップと、
前記ネットワークが、前記反復期間と前記修正期間との所定の対応関係に従って、前記反復期間を介して前記修正期間を前記端末に暗黙に通知するステップと、
前記ネットワークが、前記反復期間と前記修正期間との前記所定の対応関係に従って、前記修正期間を介して前記反復期間を前記端末に暗黙に通知するステップとのうちの少なくとも１つをさらに含む
ＭＢＭＳ制御シグナリングの伝送方法。
【請求項１１】
請求項７に記載のＭＢＭＳ制御シグナリングの伝送方法であって、
前記ネットワークが、前記ＭＢＭＳ制御チャネルを伝送する前記無線フレームおよび/または前記サブフレームの前記指示情報を前記上位層シグナリングを介して前記端末へ送信する前記ステップは、
前記ネットワークが、前記ＭＢＭＳ制御チャネルを伝送する前記無線フレームの情報を前記上位層シグナリングを介して前記端末に通知することに基づいて、前記上位層シグナリングを介してビットマップ方式、サブフレーム番号を指示する方式、またはサブフレームを固定する方式で、前記ＭＢＭＳ制御チャネルを伝送する前記無線フレームにおける前記ＭＢＭＳ制御チャネルを伝送するサブフレームの情報を前記端末に対してさらに指示するステップである
ＭＢＭＳ制御シグナリングの伝送方法。
【請求項１２】
ＭＢＭＳ制御チャネルを伝送する無線フレームおよび/またはサブフレームの指示情報を端末によってネットワークから上位層シグナリングを介して取得し、
前記端末が、前記無線フレームおよび/または前記サブフレームの前記取得された指示情報に従って解析することによって、前記ＭＢＭＳ制御チャネルを伝送する前記無線フレームおよび/または前記サブフレームを取得し、ＭＢＭＳ制御シグナリングを前記無線フレームおよび/またはサブフレームから読み取り、
前記上位層シグナリングは、システムブロードキャストメッセージ、無線リソース制御（ＲＲＣ）メッセージ、または専用シグナリングであり、
前記ＭＢＭＳ制御チャネルを伝送する前記無線フレームおよび前記サブフレームの前記指示情報は、
前記ＭＢＭＳ制御チャネルを伝送する前記無線フレームおよび前記サブフレームの出現期間情報および送信オフセット情報を含み、
ＳＦＮ  ｍｏｄ  ＰｍｃｃｈＰｅｒｉｏｄ＝ＰｍｃｃｈＯｆｆｓｅｔという変換関係式に従って解析することによって、前記ＭＢＭＳ制御チャネルを伝送する前記無線フレームを取得するステップを含み、
式中、前記ＳＦＮはシステムフレーム番号を表し、０または正の整数の値をとり、前記ＰｍｃｃｈＰｅｒｉｏｄは前記ＭＢＭＳ制御チャネルを伝送する前記無線フレームおよび/または前記サブフレームの前記出現期間情報を表し、前記ＰｍｃｃｈＯｆｆｓｅｔは前記ＭＢＭＳ制御チャネルを伝送する前記無線フレームおよび前記サブフレームのうちの少なくとも１つの前記送信オフセット情報を表し、ＳＦＮ＝０の前記無線フレームに関して０または前記ＰｍｃｃｈＰｅｒｉｏｄ未満の正の整数の値をとり、前記ｍｏｄはモジュロ演算を表し、前記ＭＢＭＳ制御チャネルを伝送する前記無線フレームは前記変換関係式ＳＦＮ  ｍｏｄ  ＰｍｃｃｈＰｅｒｉｏｄ＝ＰｍｃｃｈＯｆｆｓｅｔを満たすＳＦＮに対応する前記無線フレームを指す
ＭＢＭＳ制御シグナリングの伝送方法。
【請求項１３】
請求項１２に記載のＭＢＭＳ制御シグナリングの伝送方法であって、
前記ＭＢＭＳ制御チャネルは、ＭＣＣＨ、またはＰ−ＭＣＣＨ、Ｓ−ＭＣＣＨ、ＭＩＣＨまたはＭＴＣＨである
ＭＢＭＳ制御シグナリングの伝送方法。
【請求項１４】
請求項１２に記載のＭＢＭＳ制御シグナリングの伝送方法であって、
前記ＭＢＭＳ制御チャネルを伝送する前記無線フレームおよび/または前記サブフレームの前記指示情報は、
前記ＭＢＭＳ制御チャネルの前記無線フレームおよび/または前記サブフレームで伝送される前記制御シグナリングの送信オフセット情報と、
前記ＭＢＭＳ制御チャネルの前記無線フレームおよび/または前記サブフレームで伝送される前記制御シグナリングの反復期間情報および修正期間情報とのうちの少なくとも１つを含み、
前記ＭＢＭＳ制御チャネルを伝送する前記無線フレームおよび/または前記サブフレームの前記指示情報は、ＭＢＳＦＮ無線フレーム期間と、ＭＢＳＦＮ無線フレームオフセットとをさらに含む
ＭＢＭＳ制御シグナリングの伝送方法。
【請求項１５】
請求項１４に記載のＭＢＭＳ制御シグナリングの伝送方法であって、
前記無線フレームの前記指示情報に従って解析することによって、前記ＭＢＭＳ制御チャネルを伝送する前記無線フレームを取得するステップは、具体的には、
ＳＦＮ  ｍｏｄ  ＰｍｃｃｈＰｅｒｉｏｄ＝ＰｍｃｃｈＯｆｆｓｅｔおよびＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔという変換関係式に従って解析することによって、前記ＭＢＭＳ制御チャネルを伝送する前記無線フレームを取得するステップを含み、
式中、前記ＳＦＮはシステムフレーム番号を表し、正の整数の値をとり、前記ｒａｄｉｏＦｒａｍｅＡｌｌｏｃａｔｉｏｎＰｅｒｉｏｄは前記ＭＢＳＦＮ無線フレーム期間を表し、前記ｒａｄｉｏＦｒａｍｅＡｌｌｏｃａｔｉｏｎＯｆｆｓｅｔは前記ＭＢＳＦＮ無線フレームオフセットを表し、０以上、前記ｒａｄｉｏＦｒａｍｅＡｌｌｏｃａｔｉｏｎＰｅｒｉｏｄ未満の正の整数の値をとり、前記ＰｍｃｃｈＰｅｒｉｏｄは前記ＭＢＭＳ制御チャネルを伝送する前記無線フレームおよび/または前記サブフレームの前記出現期間情報を表し、前記ｒａｄｉｏＦｒａｍｅＡｌｌｏｃａｔｉｏｎＰｅｒｉｏｄ以上の整数の値をとり、前記ＰｍｃｃｈＯｆｆｓｅｔは前記ＭＢＭＳ制御チャネルを伝送する前記無線フレームおよび/または前記サブフレームの前記送信オフセット情報を表し、ＳＦＮ＝０の前記無線フレームのオフセットに対して０または前記ＰｍｃｃｈＰｅｒｉｏｄ未満の正の整数の値をとり、前記ｍｏｄはモジュロ演算を表し、前記ＭＢＭＳ制御チャネルを伝送する前記無線フレームは前記変換関係式ＳＦＮ  ｍｏｄ  ＰｍｃｃｈＰｅｒｉｏｄ＝ＰｍｃｃｈＯｆｆｓｅｔを満たす、または、前記２つの変換関係式を同時に満たすＳＦＮに対応する前記無線フレームを指す
ＭＢＭＳ制御シグナリングの伝送方法。
【請求項１６】
互いに接続されるネットワークと、端末とを具備し、
前記ネットワークは、ＭＢＭＳ制御チャネルを伝送する無線フレームおよび/またはサブフレームの指示情報を上位層シグナリングを介して前記端末へ送信し、前記ＭＢＭＳ制御チャネルを伝送する前記無線フレームおよび/または前記サブフレームを介して前記端末へＭＢＭＳ制御シグナリングを送信し、
前記端末は、前記無線フレームおよび/または前記サブフレームの前記送信された指示情報に従って解析することによって、前記ＭＢＭＳ制御チャネルを伝送する前記無線フレームおよび/または前記サブフレームを取得し、前記ＭＢＭＳ制御シグナリングを前記無線フレームおよび/またはサブフレームから読み取り、
前記上位層シグナリングは、システムブロードキャストメッセージ、無線リソース制御（ＲＲＣ）メッセージ、または専用シグナリングであり、
前記ＭＢＭＳ制御チャネルを伝送する前記無線フレームおよび前記サブフレームの前記指示情報は、
前記ＭＢＭＳ制御チャネルを伝送する前記無線フレームおよび前記サブフレームの出現期間情報および送信オフセット情報を含み、
ＳＦＮ  ｍｏｄ  ＰｍｃｃｈＰｅｒｉｏｄ＝ＰｍｃｃｈＯｆｆｓｅｔという変換関係式に従って解析することによって、前記ＭＢＭＳ制御チャネルを伝送する前記無線フレームを取得するステップを含み、
式中、前記ＳＦＮはシステムフレーム番号を表し、０または正の整数の値をとり、前記ＰｍｃｃｈＰｅｒｉｏｄは前記ＭＢＭＳ制御チャネルを伝送する前記無線フレームおよび/または前記サブフレームの前記出現期間情報を表し、前記ＰｍｃｃｈＯｆｆｓｅｔは前記ＭＢＭＳ制御チャネルを伝送する前記無線フレームおよび前記サブフレームのうちの少なくとも１つの前記送信オフセット情報を表し、ＳＦＮ＝０の前記無線フレームに関して０または前記ＰｍｃｃｈＰｅｒｉｏｄ未満の正の整数の値をとり、前記ｍｏｄはモジュロ演算を表し、前記ＭＢＭＳ制御チャネルを伝送する前記無線フレームは前記変換関係式ＳＦＮ  ｍｏｄ  ＰｍｃｃｈＰｅｒｉｏｄ＝ＰｍｃｃｈＯｆｆｓｅｔを満たすＳＦＮに対応する前記無線フレームを指す
ＭＢＭＳ制御シグナリングの伝送システム。
【請求項１７】
請求項１６に記載のＭＢＭＳ制御シグナリングの伝送システムであって、
前記ＭＢＭＳ制御チャネルは、ＭＣＣＨ、Ｐ−ＭＣＣＨ、Ｓ−ＭＣＣＨ、ＭＩＣＨまたはＭＴＣＨである
ＭＢＭＳ制御シグナリングの伝送システム。
【請求項１８】
請求項１６に記載のＭＢＭＳ制御シグナリングの伝送システムであって、
前記ＭＢＭＳ制御チャネルを伝送する前記無線フレームおよび/または前記サブフレームの前記指示情報は、
前記ＭＢＭＳ制御チャネルの前記無線フレームおよび/または前記サブフレームで伝送される前記制御シグナリングの送信オフセット情報と、
前記ＭＢＭＳ制御チャネルの前記無線フレームおよび/または前記サブフレームで伝送される前記制御シグナリングの反復期間情報および修正期間情報とのうちの少なくとも１つを含み、
前記ＭＢＭＳ制御チャネルを伝送する前記無線フレームおよび/または前記サブフレームの前記指示情報は、ＭＢＳＦＮ無線フレーム期間と、ＭＢＳＦＮ無線フレームオフセットとをさらに含む
ＭＢＭＳ制御シグナリングの伝送システム。
【発明の詳細な説明】
【技術分野】
【０００１】
本発明は、ロングタームエボリューション（ＬＴＥ：Long Term Evolution）システムにおいて用いられるブロードキャスト伝送技術に関し、特にマルチメディアブロードキャスト／マルチキャストサービス（ＭＢＭＳ：Multimedia Broadcast Multicast Service）制御シグナリングの伝送方法および伝送システムに関する。
【背景技術】
【０００２】
インターネットの急速な発展に伴い、例えばビデオ会議、テレビ放送、ビデオオンデマンド、広告、インターネット教育、インタラクティブゲーム等の多数の移動データマルチメディアサービスおよび様々な高帯域幅のマルチメディアサービスが現れてきている。これらのサービスは、サービスの移動加入者の要求に次々と応えており、移動オペレータのビジネスに新たな成長点をもたらす。これらの移動データマルチメディアサービスでは、複数の加入者が同時に同じデータを受信することができることが必要とされており、一般的なデータサービスと比べ、データ量が大きく、継続時間が長く、時間遅延の影響を受けやすい等の特徴を有する。
【０００３】
移動ネットワークリソースを有効活用するために、第３世代パートナーシッププロジェクト（３ＧＰＰ：３rd Generation Partnership Project）によってＭＢＭＳが提案されている。このサービスは、１つのデータソースから複数のターゲットへデータを伝送する技術であり、これによって、ネットワーク（コアネットワークとアクセスネットワークとを含む）リソースの共有が実現し、ネットワークリソース、特にエアインターフェースリソースの利用率が向上する。３ＧＰＰによって定義されているＭＢＭＳは、低速のフルテキストメッセージのマルチキャストとブロードキャストとを実現するだけではなく、高速マルチメディアサービスのマルチキャストとブロードキャストとを実現し、映像および音声を含む、豊かなマルチメディアサービスを提供することができる。
【０００４】
ＬＴＥシステムにおいて、ＭＢＭＳは、混合キャリア方式で送信することができる。混合キャリアとは、ユニキャストサービスとＭＢＭＳとが時分割多重方式によって同じキャリアで送信されることを意味する。なお、時分割多重の最小単位はサブフレームである。現行のＬＴＥにおいて採用されている、ＭＢＭＳを伝送するための無線フレームは、下記の関係式を満たす。
【０００５】
ＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔ
式中、ＬＴＥにおける最大のシステムフレーム番号（すなわち、システムにおいて定められている無線フレームの数）が１０２３に規定されているため、システムフレーム番号（ＳＦＮ：System Frame Number）は０から１０２３までの値をとる。ｒａｄｉｏＦｒａｍｅＡｌｌｏｃａｔｉｏｎＰｅｒｉｏｄはＭＢＭＳ単一周波数ネットワーク（ＭＢＳＦＮ：MBMS single Frequency Network）の無線フレーム期間を表し、｛１、２、４、８、１６、３２｝のいずれか１つの値をとる。ｒａｄｉｏＦｒａｍｅＡｌｌｏｃａｔｉｏｎＯｆｆｓｅｔはＭＢＳＦＮ無線フレームのオフセットを表し、０以上、ＭＢＳＦＮ無線フレーム期間の選択された値未満の整数の値をとる。ｍｏｄはＳＦＮのｒａｄｉｏＦｒａｍｅＡｌｌｏｃａｔｉｏｎＰｅｒｉｏｄに対するモジュロ演算を表す。ＭＢＭＳの無線フレームが満たす関係式に関する情報は、システムメッセージのＳＩＢ２（System Information Block Type ２）で端末へ送信される。上記関係式によって、ｒａｄｉｏＦｒａｍｅＡｌｌｏｃａｔｉｏｎＰｅｒｉｏｄの値が２であり、かつｒａｄｉｏＦｒａｍｅＡｌｌｏｃａｔｉｏｎＯｆｆｓｅｔ＝０である場合、図１に示すようなＭＢＳＦＮ無線フレームが取得される。図１では、システムによって構成された、ＭＢＭＳを伝送するためのＭＢＳＦＮ無線フレームが斜線で表されている。さらに、システムは、ＭＢＳＦＮ無線フレームに、ＭＢＭＳを伝送するためのサブフレームを構成することができる。係るサブフレームをＭＢＳＦＮサブフレームと呼ぶ。ＭＢＳＦＮフレームもＭＢＳＦＮサブフレームもＭＢＳＦＮリソースと呼ばれ、係るＭＢＳＦＮリソースによってマルチキャストチャネル（ＭＣＨ：Multicast Channel）伝送チャネルが構成される。
【０００６】
開示されているＬＴＥ技術では、階層構造を採用する場合にはＭＢＭＳのマルチキャスト制御チャネル（ＭＣＣＨ：Multicast Control Channel）が、プライマリマルチキャスト制御シグナリングを伝送するためのプライマリマルチキャスト制御チャネル（Ｐ−ＭＣＣＨ：Primary MCCH）およびセカンダリマルチキャスト制御シグナリングを伝送するためのセカンダリマルチキャスト制御チャネル（Ｓ−ＭＣＣＨ：Secondary MCCH）の２種類に分けられ、階層構造を採用しない場合にはＭＢＭＳの制御チャネルはＭＣＣＨと呼ばれ、ＭＢＭＳの制御シグナリングを伝送するために用いることが規定されている。開示されているＬＴＥ技術ではさらに、システムブロードキャストメッセージ（ＢＣＣＨ：Broadcast Control Channel）で１つまたは２つのＰ−ＭＣＣＨのスケジューリング情報を指示することができ、一方のＰ−ＭＣＣＨのスケジューリング情報が単一セルモードにおいてダウンリンク共有チャネル（ＤＬ−ＳＣＨ：Downlink Shared Channel）で伝送され、他方のＰ−ＭＣＣＨのスケジューリング情報がマルチセルモードにおいてＭＣＨで伝送されることが規定されている。Ｐ−ＭＣＣＨによって、ＭＢＳＦＮ領域におけるサービスと関連する制御シグナリングが伝送され、当該シグナリングが、このＭＢＳＦＮ領域内の有効なＭＢＭＳおよび他の情報を指示するために用いられる。必要であれば、Ｓ−ＭＣＣＨを容易に見つけられるようにするために、Ｐ−ＭＣＣＨによってもＳ−ＭＣＣＨの指示情報を伝送することができる。
【０００７】
開示されているＬＴＥ技術に関する記載によれば、ＭＢＭＳは、単一セルモードとマルチセルモードとに分類され、Ｐ−ＭＣＣＨも単一セルモードとマルチセルモードとに分類される。主な特徴の１つとして、単一セルモードは、マルチセルＭＢＳＦＮの結合をサポートしないが、マルチセルモードは、マルチセルＭＢＳＦＮの結合をサポートしなければいけない。しかし、開示されている最新のＬＴＥ技術の記載によれば、ＭＣＣＨはもはや、ＭＢＳＦＮ結合をサポートせず、一次構造と二次構造とを区別しなくなっている。
【０００８】
以上のことから分かるように、マルチセルモードで送信されたＰ−ＭＣＣＨおよびＳ−ＭＣＣＨの両方を、マルチキャストフレームから成るマルチキャストリソースで伝送する必要がある。ＭＣＣＨが一次構造と二次構造とに分けられず、かつマルチセルモードで送信されない場合、ＭＣＣＨは、ユニキャストリソース、すなわち、ＤＬ−ＳＣＨでまたはマルチキャストフレームから成るマルチキャストリソース、すなわち、ＭＣＨで伝送することができる。
【０００９】
上述したいずれのケースにおいても、従来技術においてＰ−ＭＣＣＨ、Ｓ−ＭＣＣＨまたはＭＣＣＨを送信するための統一された基準が与えられていないため、システム側の送信が非常にランダムになってしまう。つまり、端末が、非常に頻繁に上記ＭＢＭＳ制御チャネル（Ｐ−ＭＣＣＨ、Ｓ−ＭＣＣＨ、ＭＣＣＨを含む）の受信を試みる必要があり、これによって、端末の受信がランダムになり、シグナリングオーバーヘッドが増加し、端末の節電に不利になる。
【発明の概要】
【発明が解決しようとする課題】
【００１０】
本発明は、これに鑑みてなされるものであって、システム側によるＭＢＭＳ制御シグナリングの送信と端末によるＭＢＭＳ制御シグナリングの受信とのランダム性を解消し、端末のシグナリングオーバーヘッドを低減するような、ＭＢＭＳ制御シグナリングの伝送方法および伝送システムを提供することを主な目的とする。
【課題を解決するための手段】
【００１１】
上記目的を達成するために、本発明の技術案は、下記のように実現される。
【００１２】
本発明は、マルチメディアブロードキャスト／マルチキャストサービス（ＭＢＭＳ）制御シグナリングの伝送方法であって、ネットワークが、ＭＢＭＳ制御チャネルを伝送する無線フレームおよび/またはサブフレームの指示情報を上位層シグナリングを介して端末へ送信し、上記ＭＢＭＳ制御チャネルを伝送する上記無線フレームおよび/または上記サブフレームを介して上記端末へ上記ＭＢＭＳ制御シグナリングを送信し、上記端末が、上記無線フレームおよび/または上記サブフレームの上記送信された指示情報に従って解析することによって、上記ＭＢＭＳ制御チャネルを伝送する上記無線フレームおよび/または上記サブフレームを取得し、上記ＭＢＭＳ制御シグナリングを上記無線フレームおよび/または上記サブフレームから読み取る、ＭＢＭＳ制御シグナリングの伝送方法を提供する。
【００１３】
上記ＭＢＭＳ制御チャネルは、マルチキャスト制御チャネル（ＭＣＣＨ）、プライマリマルチキャスト制御チャネル（Ｐ−ＭＣＣＨ）、セカンダリマルチキャスト制御チャネル（Ｓ−ＭＣＣＨ）、マルチキャスト指示チャネル（ＭＩＣＨ）、またはマルチキャスト伝送チャネル（ＭＴＣＨ）であってもよい。
【００１４】
上記ＭＢＭＳ制御チャネルを伝送する上記無線フレームおよび/または上記サブフレームの上記指示情報は、上記ＭＢＭＳ制御チャネルを伝送する上記無線フレームおよび/または上記サブフレームの出現期間情報および送信オフセット情報と、上記ＭＢＭＳ制御チャネルの上記無線フレームおよび/または上記サブフレームで伝送される上記制御シグナリングの送信オフセット情報と、上記ＭＢＭＳ制御チャネルの上記無線フレームおよび/または上記サブフレームで伝送される上記制御シグナリングの反復期間（repetition period）情報および修正期間（modification period）情報とのうちの少なくとも１つを含んでもよく、上記ＭＢＭＳ制御チャネルを伝送する上記無線フレームおよび/または上記サブフレームの上記指示情報は、ＭＢＳＦＮ（ＭＢＭＳ単一周波数ネットワーク）無線フレーム期間と、ＭＢＳＦＮ無線フレームオフセットとをさらに含んでもよい。
【００１５】
上記無線フレームの上記指示情報に従って解析することによって、上記ＭＢＭＳ制御チャネルを伝送する上記無線フレームを取得する上記ステップは、具体的には、ＳＦＮ  ｍｏｄ  ＰｍｃｃｈＰｅｒｉｏｄ＝ＰｍｃｃｈＯｆｆｓｅｔおよびＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔという変換関係式に従って解析することによって、上記ＭＢＭＳ制御チャネルを伝送する上記無線フレームを取得するステップを含んでもよく、式中、上記ＳＦＮはシステムフレーム番号を表し、正の整数の値をとり、上記ｒａｄｉｏＦｒａｍｅＡｌｌｏｃａｔｉｏｎＰｅｒｉｏｄは上記ＭＢＳＦＮ無線フレーム期間を表し、上記ｒａｄｉｏＦｒａｍｅＡｌｌｏｃａｔｉｏｎＯｆｆｓｅｔは上記ＭＢＳＦＮ無線フレームオフセットを表し、０以上、上記ｒａｄｉｏＦｒａｍｅＡｌｌｏｃａｔｉｏｎＰｅｒｉｏｄ未満の正の整数の値をとり、上記ＰｍｃｃｈＰｅｒｉｏｄは上記ＭＢＭＳ制御チャネルを伝送する上記無線フレームおよび/または上記サブフレームの上記出現期間情報を表し、上記ｒａｄｉｏＦｒａｍｅＡｌｌｏｃａｔｉｏｎＰｅｒｉｏｄ以上の整数の値をとり、上記ＰｍｃｃｈＯｆｆｓｅｔは上記ＭＢＭＳ制御チャネルを伝送する上記無線フレームおよび/または上記サブフレームの上記送信オフセット情報を表し、ＳＦＮ＝０の上記無線フレームに関して０または上記ＰｍｃｃｈＰｅｒｉｏｄ未満の正の整数の値をとり、上記ｍｏｄはモジュロ演算を表し、上記ＭＢＭＳ制御チャネルを伝送する上記無線フレームは上記変換関係式ＳＦＮ  ｍｏｄ  ＰｍｃｃｈＰｅｒｉｏｄ＝ＰｍｃｃｈＯｆｆｓｅｔを満たすかまたは上記２つの変換関係式を同時に満たすＳＦＮに対応する上記無線フレームを指す。
【００１６】
上記ＭＢＭＳ制御シグナリングの伝送方法は、上記ネットワークが、上記送信オフセットと上記ＭＢＳＦＮ無線フレームオフセットとの所定の対応関係に従って、上記ＭＢＳＦＮ無線フレームオフセットを介して上記送信オフセットを上記端末に暗黙に通知するステップと、上記ネットワークが、上記反復期間と上記ＭＢＳＦＮ無線フレーム期間との所定の対応関係に従って、上記ＭＢＳＦＮ無線フレーム期間を介して上記反復期間を上記端末に暗黙に通知するステップと、上記ネットワークが、上記反復期間と上記修正期間との所定の対応関係に従って、上記反復期間を介して上記修正期間を上記端末に暗黙に通知するステップと、上記ネットワークが、上記反復期間と上記修正期間との上記所定の対応関係に従って、修正期間を介して上記反復期間を上記端末に暗黙に通知するステップとのうちの少なくとも１つをさらに含んでもよい。
【００１７】
上記ネットワークが、上記ＭＢＭＳ制御チャネルを伝送する上記無線フレームおよび/または上記サブフレームの上記指示情報を上記上位層シグナリングを介して上記端末へ送信する上記ステップは、上記ネットワークが、上記ＭＢＭＳ制御チャネルを伝送する上記無線フレームの情報を上記上位層シグナリングを介して上記端末に通知することに基づいて、上記上位層シグナリングを介してビットマップの方式、サブフレーム番号を指示する方式、またはサブフレームを固定する方式で、上記ＭＢＭＳ制御チャネルを伝送する上記無線フレームにおける上記ＭＢＭＳ制御チャネルを伝送するサブフレームの情報を上記端末に対してさらに指示するステップであってもよい。
【００１８】
上記上位層シグナリングは、システムブロードキャストメッセージ、無線リソース制御（ＲＲＣ）メッセージ、または専用シグナリングであってもよい。
【００１９】
本発明は、ネットワークが、ＭＢＭＳ制御チャネルを伝送する無線フレームおよび/またはサブフレームの指示情報を上位層シグナリングを介して端末へ送信し、上記ＭＢＭＳ制御チャネルを伝送する上記無線フレームおよび/または上記サブフレームを介して上記端末へＭＢＭＳ制御シグナリングを送信するＭＢＭＳ制御シグナリングの伝送方法をさらに提供する。
【００２０】
上記ＭＢＭＳ制御チャネルは、ＭＣＣＨ、Ｐ−ＭＣＣＨ、Ｓ−ＭＣＣＨ、ＭＩＣＨまたはＭＴＣＨであってもよい。
【００２１】
上記ＭＢＭＳ制御チャネルを伝送する上記無線フレームおよび/または上記サブフレームの上記指示情報は、上記ＭＢＭＳ制御チャネルを伝送する上記無線フレームおよび/または上記サブフレームの出現期間情報および送信オフセット情報と、上記ＭＢＭＳ制御チャネルの上記無線フレームおよび/または上記サブフレームで伝送される上記制御シグナリングの送信オフセット情報と、上記ＭＢＭＳ制御チャネルの上記無線フレームおよび/または上記サブフレームに伝送される上記制御シグナリングの反復期間情報および修正期間情報とのうちの少なくとも１つを含んでよく、上記ＭＢＭＳ制御チャネルを伝送する上記無線フレームおよび/または上記サブフレームの指示情報は、ＭＢＳＦＮ無線フレーム期間と、ＭＢＳＦＮ無線フレームオフセットとをさらに含んでもよい。
【００２２】
上記ＭＢＭＳ制御シグナリングの伝送方法は、上記ネットワークが、上記送信オフセットと上記ＭＢＳＦＮ無線フレームオフセットとの所定の対応関係に従って、上記ＭＢＳＦＮ無線フレームオフセットを介して上記送信オフセットを上記端末に暗黙に通知するステップと、上記ネットワークが、上記反復期間と上記ＭＢＳＦＮ無線フレーム期間との所定の対応関係に従って、上記ＭＢＳＦＮ無線フレーム期間を介して上記反復期間を上記端末に暗黙に通知するステップと、上記ネットワークが、上記反復期間と上記修正期間との所定の対応関係に従って、上記反復期間を介して上記修正期間を上記端末に暗黙に通知するステップと、上記ネットワークが、上記反復期間と上記修正期間との上記所定の対応関係に従って、上記修正期間を介して上記反復期間を上記端末に暗黙に通知するステップとのうちの少なくとも１つをさらに含んでもよい。
【００２３】
上記ネットワークが、上記ＭＢＭＳ制御チャネルを伝送する上記無線フレームおよび/または上記サブフレームの上記指示情報を上記上位層シグナリングを介して上記端末へ送信する上記ステップは、上記ネットワークが、上記ＭＢＭＳ制御チャネルを伝送する上記無線フレームの情報を上記上位層シグナリングを介して上記端末に通知することに基づいて、上記上位層シグナリングを介してビットマップ方式、サブフレーム番号を指示する方式、またはサブフレームを固定する方式で、上記ＭＢＭＳ制御チャネルを伝送する上記無線フレームにおける上記ＭＢＭＳ制御チャネルを伝送するサブフレームの情報を上記端末に対してさらに指示するステップであってもよい。
【００２４】
上記上位層シグナリングは、システムブロードキャストメッセージ、ＲＲＣメッセージ、または専用シグナリングであってもよい。
【００２５】
本発明は、ＭＢＭＳ制御チャネルを伝送する無線フレームおよび/またはサブフレームの指示情報を端末によってネットワークから上位層シグナリングを介して取得し、上記端末が、上記無線フレームおよび/または上記サブフレームの上記取得された指示情報に従って解析することによって、上記ＭＢＭＳ制御チャネルを伝送する上記無線フレームおよび/または上記サブフレームを取得し、ＭＢＭＳ制御シグナリングを上記無線フレームおよび/またはサブフレームから読み取る、ＭＢＭＳ制御シグナリングの伝送方法をさらに提供する。
【００２６】
上記ＭＢＭＳ制御チャネルは、ＭＣＣＨ、またはＰ−ＭＣＣＨ、Ｓ−ＭＣＣＨ、ＭＩＣＨまたはＭＴＣＨであってもよい。
【００２７】
上記ＭＢＭＳ制御チャネルを伝送する上記無線フレームおよび/または上記サブフレームの上記指示情報は、上記ＭＢＭＳ制御チャネルを伝送する上記無線フレームおよび/または上記サブフレームの出現期間情報および送信オフセット情報と、上記ＭＢＭＳ制御チャネルの上記無線フレームおよび/または上記サブフレームで伝送される上記制御シグナリングの送信オフセット情報と、上記ＭＢＭＳ制御チャネルの上記無線フレームおよび/または上記サブフレームで伝送される上記制御シグナリングの反復期間情報および修正期間情報とのうちの少なくとも１つを含んでもよく、上記ＭＢＭＳ制御チャネルを伝送する上記無線フレームおよび/または上記サブフレームの上記指示情報は、ＭＢＳＦＮ無線フレーム期間と、ＭＢＳＦＮ無線フレームオフセットとをさらに含んでもよい。
【００２８】
上記無線フレームの上記指示情報に従って解析することによって、上記ＭＢＭＳ制御チャネルを伝送する上記無線フレームを取得するステップは、具体的には、  ＳＦＮ  ｍｏｄ  ＰｍｃｃｈＰｅｒｉｏｄ＝ＰｍｃｃｈＯｆｆｓｅｔおよびＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔという変換関係式に従って解析することによって、上記ＭＢＭＳ制御チャネルを伝送する上記無線フレームを取得するステップを含んでもよく、式中、上記ＳＦＮはシステムフレーム番号を表し、正の整数の値をとり、上記ｒａｄｉｏＦｒａｍｅＡｌｌｏｃａｔｉｏｎＰｅｒｉｏｄは上記ＭＢＳＦＮ無線フレーム期間を表し、上記ｒａｄｉｏＦｒａｍｅＡｌｌｏｃａｔｉｏｎＯｆｆｓｅｔは上記ＭＢＳＦＮ無線フレームオフセットを表し、０以上、上記ｒａｄｉｏＦｒａｍｅＡｌｌｏｃａｔｉｏｎＰｅｒｉｏｄ未満の正の整数の値をとり、上記ＰｍｃｃｈＰｅｒｉｏｄは上記ＭＢＭＳ制御チャネルを伝送する上記無線フレームおよび/または上記サブフレームの上記出現期間情報を表し、上記ｒａｄｉｏＦｒａｍｅＡｌｌｏｃａｔｉｏｎＰｅｒｉｏｄ以上の整数の値をとり、上記ＰｍｃｃｈＯｆｆｓｅｔは上記ＭＢＭＳ制御チャネルを伝送する上記無線フレームおよび/または上記サブフレームの上記送信オフセット情報を表し、ＳＦＮ＝０の上記無線フレームのオフセットに対して０または上記ＰｍｃｃｈＰｅｒｉｏｄ未満の正の整数の値をとり、上記ｍｏｄはモジュロ演算を表し、上記ＭＢＭＳ制御チャネルを伝送する上記無線フレームは上記変換関係式ＳＦＮ  ｍｏｄ  ＰｍｃｃｈＰｅｒｉｏｄ＝ＰｍｃｃｈＯｆｆｓｅｔを満たす、または、上記２つの変換関係式を同時に満たすＳＦＮに対応する上記無線フレームである。
【００２９】
上記上位層シグナリングは、システムブロードキャストメッセージ、ＲＲＣメッセージ、または専用シグナリングであってもよい。
【００３０】
本発明は、互いに接続されるネットワークと、端末とを具備し、上記ネットワークは、ＭＢＭＳ制御チャネルを伝送する無線フレームおよび/またはサブフレームの指示情報を上位層シグナリングを介して上記端末へ送信し、上記ＭＢＭＳ制御チャネルを伝送する上記無線フレームおよび/または上記サブフレームを介して上記端末へＭＢＭＳ制御シグナリングを送信し、上記端末は、上記無線フレームおよび/または上記サブフレームの上記送信された指示情報に従って解析することによって、上記ＭＢＭＳ制御チャネルを伝送する上記無線フレームおよび/または上記サブフレームを取得し、上記ＭＢＭＳ制御シグナリングを上記無線フレームおよび/またはサブフレームから読み取る、ＭＢＭＳ制御シグナリングの伝送システムをさらに提供する。
【００３１】
上記ＭＢＭＳ制御チャネルは、ＭＣＣＨ、Ｐ−ＭＣＣＨ、Ｓ−ＭＣＣＨ、ＭＩＣＨまたはＭＴＣＨであってもよい。
【００３２】
上記ＭＢＭＳ制御チャネルを伝送する上記無線フレームおよび/または上記サブフレームの上記指示情報は、上記ＭＢＭＳ制御チャネルを伝送する上記無線フレームおよび/または上記サブフレームの出現期間情報および送信オフセット情報と、上記ＭＢＭＳ制御チャネルの上記無線フレームおよび/または上記サブフレームで伝送される上記制御シグナリングの送信オフセット情報と、上記ＭＢＭＳ制御チャネルの上記無線フレームおよび/または上記サブフレームで伝送される上記制御シグナリングの反復期間情報および修正期間情報とのうちの少なくとも１つを含んでもよく、上記ＭＢＭＳ制御チャネルを伝送する上記無線フレームおよび/または上記サブフレームの上記指示情報は、ＭＢＳＦＮ無線フレーム期間と、ＭＢＳＦＮ無線フレームオフセットとをさらに含んでもよい。
【００３３】
本発明によるＭＢＭＳ制御シグナリングの伝送方法および伝送システムは、ネットワークからＭＢＭＳ制御チャネルを伝送する無線フレームおよび/またはサブフレームの指示情報を上位層シグナリングを介して端末へ送信し、端末が無線フレームおよび/またはサブフレームの送信された指示情報に従って解析することによって、ＭＢＭＳ制御チャネルを伝送する無線フレームおよび/またはサブフレームを取得して、ＭＢＭＳ制御シグナリングを無線フレームおよび/またはサブフレームから読み取る。本発明は、システム側のＭＢＭＳ制御チャネルの構成に関する問題を解決し、ＭＢＭＳ制御シグナリングの伝送方法を提供し、少ないシグナリングオーバーヘッドで、システム側によるＭＢＭＳ制御シグナリングの送信と端末によるＭＢＭＳ制御シグナリングの受信とのランダム性を解消し、端末の節電を容易にする。さらに、本発明におけるＭＢＭＳ制御チャネルを伝送する無線フレームおよび/またはサブフレームの指示情報を柔軟に構成することができ、ネットワークからＭＢＭＳ制御シグナリングを送信することに柔軟性を与え、本発明におけるＭＢＭＳ制御チャネルを伝送するサブフレームを柔軟に選択することができ、ネットワークのスケジューリングを容易にする。
【図面の簡単な説明】
【００３４】
【図１】従来技術におけるＭＢＳＦＮ無線フレームの構成を示す概略図である。
【図２】本発明によるＭＢＭＳ制御シグナリングの伝送方法のフローチャートである。
【図３】本発明の一実施形態によるＭＢＭＳを伝送するための無線フレームを示す概略図である。
【図４】本発明の一実施形態によるＭＢＭＳ制御チャネルを伝送するための無線フレームを示す概略図１である。
【図５】本発明の一実施形態によるＭＢＭＳ制御チャネルを伝送するための無線フレームを示す概略図２である。
【図６】本発明の一実施形態によるＭＢＭＳ制御チャネルを伝送するための無線フレームを示す概略図３である。
【図７】本発明の一実施形態によるＭＢＭＳ制御チャネルを伝送するための無線フレームを示す概略図４である。
【図８】本発明の一実施形態によるＭＢＭＳ制御チャネルを伝送するための無線フレームを示す概略図５である。
【図９】本発明の一実施形態によるＭＢＭＳ制御チャネルを伝送するためのサブフレームの構造を示す概略図である。
【図１０】本発明によるＭＢＭＳ制御シグナリングの伝送システムの構成構造を示す概略図である。
【発明を実施するための形態】
【００３５】
以下、図面と具体的な実施形態とを参照して本発明の技術案をさらに詳しく説明する。
【００３６】
本発明において提供される、ＭＢＭＳ制御シグナリングの伝送方法は、図２に示すように、主に以下のステップを含む。
【００３７】
ステップ２０１において、ネットワークネットワークが、ＭＢＭＳ制御チャネルを伝送する無線フレームおよび/またはサブフレームの指示情報を上位層シグナリングを介して端末へ送信し、ＭＢＭＳ制御チャネルを伝送する無線フレームおよび/またはサブフレームを介して端末へＭＢＭＳ制御シグナリングを送信する。
【００３８】
本発明で述べるネットワークネットワークは、基地局（ｅＮＢ）、移動管理エンティティ（ＭＭＥ：Mobility Management Entity）、ゲートウェイ（Gate-way）、発展型パケットシステム（ＥＰＳ：Evolved Packet System）、またはマルチセル/マルチキャスト調整エンティティ（ＭＣＥ：Multi-CELL／Multicast Coordination Entity）等である。以下では、基地局ｅＮＢを例として説明する。
【００３９】
本発明で述べるＭＢＭＳ制御チャネルは、開示されているＬＴＥ技術で説明されるＰ−ＭＣＣＨ、Ｓ−ＭＣＣＨまたはＭＣＣＨであってもよく、マルチキャスト指示チャネル（ＭＩＣＨ：Multicast Indicator Channel）であってもよい。または、他のチャネル、例えばマルチキャスト伝送チャネル（ＭＴＣＨ：Multicast Traffic Channel）等であってもよい。もちろん、本発明のＭＢＭＳ制御チャネルは、上述したものに限られず、必要に応じてタイプを拡張することができる。
【００４０】
本発明において、ｅＮＢが、ＭＢＭＳ制御チャネルを伝送する無線フレームおよび/またはサブフレームの指示情報を上位層シグナリングを介して端末へ送信することは、具体的には次のようなものである。つまり、端末に対してＭＢＭＳ制御チャネルを伝送する無線フレームのみを指し示し、ＭＢＭＳ制御チャネルを伝送するこの無線フレームにおけるサブフレームに関しては、これらサブフレームを、ｅＮＢと端末との間で予め取り決められた固定無線フレームとする。または、端末によって、ＭＢＭＳ制御チャネルを伝送する無線フレームのすべてのサブフレームをブラインド検出しｅＮＢによって、端末へＭＢＭＳ制御チャネルを伝送する無線フレームの指示情報のみを送信する。または、ｅＮＢが端末に対してＭＢＭＳ制御チャネルを伝送するサブフレームのみを指し示し、ＭＢＭＳ制御チャネルを伝送する無線フレームに関しては、この無線フレームを、ｅＮＢと端末との間で予め取り決められた固定無線フレームとする。または、端末がによって無線フレーム内の固定サブフレームをブラインド検出しｅＮＢが端末へＭＢＭＳ制御チャネルを伝送するサブフレームの指示情報のみを送信する。または、ｅＮＢによって、端末に対してＭＢＭＳ制御チャネルを伝送する無線フレームとサブフレームとを同時に指し示す。この場合、ＭＢＭＳ制御チャネルを伝送する無線フレームとサブフレームとの指示情報を端末へ送信する必要がある。
【００４１】
本発明において、ｅＮＢは、サブフレームの指示情報を通知するときに、ＭＢＭＳ制御チャネルを伝送する無線フレームにおいて実際にＭＢＭＳ制御チャネルを伝送するサブフレーム情報を端末に対して指し示すことができる。
【００４２】
また、ＭＢＭＳ制御チャネルを伝送する無線フレームおよび/またはサブフレームの指示情報は、ＭＢＭＳ制御チャネルを伝送する無線フレームおよび/またはサブフレームの出現期間情報および送信オフセット情報と、ＭＢＭＳ制御チャネルの無線フレームおよび/またはサブフレーム上で伝送される制御シグナリングの送信オフセット情報と、ＭＢＭＳ制御チャネルの無線フレームおよび/またはサブフレームで伝送される制御シグナリングの反復期間情報および修正期間情報とのうちの少なくとも１つを含む。
【００４３】
ＭＢＭＳ制御チャネルを伝送する無線フレームおよび/またはサブフレームの指示情報は、ＭＢＳＦＮ無線フレーム期間と、ＭＢＳＦＮ無線フレームオフセットとをさらに含む。
【００４４】
本発明において、ｅＮＢによって上位層シグナリングを介して端末へ送信されるＭＢＭＳ制御チャネルを伝送する無線フレームおよび/またはサブフレームは、ＭＢＳＦＮ無線フレームまたはサブフレームリソースであってもよく、ユニキャストフレームまたはサブフレームリソースであってもよい。
【００４５】
指示情報は、以下の二通りに送信される。
【００４６】
１．ＭＢＭＳ制御シグナリングが、マルチキャストフレームから成るＭＣＨで伝送される場合、或るＭＢＳＦＮ領域のＭＢＭＳ制御チャネルが、ＭＣＨ、すなわち、実際のＭＢＳＦＮリソースで伝送される。１つのＭＢＳＦＮ領域に関して、ＭＢＭＳ制御チャネルを伝送するための無線フレームは、下記の変換関係式を満たす必要がある。
【００４７】
ＳＦＮ  ｍｏｄ  ＰｍｃｃｈＰｅｒｉｏｄ＝ＰｍｃｃｈＯｆｆｓｅｔ、かつ
ＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔ。
式中、ＳＦＮがシステムフレーム番号を表し、０または正の整数の値をとる。ＬＴＥにおける最大のシステムフレーム番号は１０２３に規定されているため、ＳＦＮは０から１０２３までの整数であり得る。ｒａｄｉｏＦｒａｍｅＡｌｌｏｃａｔｉｏｎＰｅｒｉｏｄはＭＢＳＦＮ無線フレーム期間を表す。ｒａｄｉｏＦｒａｍｅＡｌｌｏｃａｔｉｏｎＯｆｆｓｅｔはＭＢＳＦＮ無線フレームオフセットを表し、０以上、ｒａｄｉｏＦｒａｍｅＡｌｌｏｃａｔｉｏｎＰｅｒｉｏｄ未満の整数の値をとる。ＰｍｃｃｈＰｅｒｉｏｄはＭＢＭＳ制御チャネルを伝送する無線フレームおよび/またはサブフレームの出現期間を表し、ｒａｄｉｏＦｒａｍｅＡｌｌｏｃａｔｉｏｎＰｅｒｉｏｄ以上の整数の値をとる。ＰｍｃｃｈＯｆｆｓｅｔはＭＢＭＳ制御チャネルを伝送する無線フレームおよび/またはサブフレームの送信オフセット情報を表し、ＳＦＮ＝０の無線フレームのオフセットに関して０またはＰｍｃｃｈＰｅｒｉｏｄ未満の正の整数の値をとる。ｍｏｄはモジュロ演算を表す。端末が上記指示情報に従って取得する、ＭＢＭＳ制御チャネルを伝送する無線フレームは、上記変換関係式を満たすＳＦＮに対応する無線フレームを取得する。
【００４８】
なお、ＭＢＭＳ制御チャネルを伝送する無線フレームおよび/またはサブフレームの出現期間ＰｍｃｃｈＰｅｒｉｏｄとは、ＭＢＭＳ制御チャネルの無線フレームおよび/またはサブフレームで伝送される制御シグナリングの反復期間であり、ＭＢＭＳ制御チャネルを伝送する無線フレームおよび/またはサブフレームの送信オフセットＰｍｃｃｈＯｆｆｓｅｔは、ＭＢＭＳ制御チャネルの無線フレームおよび/またはサブフレーム上に伝送される制御シグナリングの送信オフセットである。したがって、ｅＮＢは、ＭＢＭＳ制御チャネルを伝送する無線フレームおよび/またはサブフレームの出現期間、およびＭＢＭＳ制御チャネルの無線フレームおよび/またはサブフレームで伝送される制御シグナリングの反復期間をＰｍｃｃｈＰｅｒｉｏｄを介して端末に通知することでき、かつＭＢＭＳ制御チャネルを伝送する無線フレームおよび/またはサブフレームの送信オフセット、およびＭＢＭＳ制御チャネルの無線フレームおよび/またはサブフレームで伝送される制御シグナリングの送信オフセットをＰｍｃｃｈＯｆｆｓｅｔを介して端末に通知することができる。
【００４９】
また、本発明において、ｅＮＢから送信された指示情報に含まれるＰｍｃｃｈＰｅｒｉｏｄによって、ＭＢＭＳ制御チャネルの無線フレームおよび/またはサブフレームで伝送される制御シグナリングの反復期間または制御シグナリング修正期間を表することができる。実際の用途では、パラメータＰｍｃｃｈＰｅｒｉｏｄは、反復期間または修正期間のいずれか一方しか表すことができず、以下の２つのケースがある。
【００５０】
ＰｍｃｃｈＰｅｒｉｏｄが反復期間を表す場合、反復期間を介して修正期間を間接的に通知することができる。間接的な通知には倍数関係を用い、この倍数関係はプロトコルを通じて固定されるかまたは構成され、端末に通知される。例えば、修正期間が反復期間の４倍に設定され、反復期間と修正期間とが同時にまたは異なる時点で開始される。反復期間と修正期間とが同時に開始される場合、修正期間の開始時点を通知する必要がなく、反復期間と修正期間とが、異なる時点で開始される場合、修正期間の開始時点を通知する必要がある。ここで、このＰｍｃｃｈＯｆｆｓｅｔが表す送信オフセットは、修正期間と反復期間との両方の送信オフセットである。
【００５１】
ＰｍｃｃｈＰｅｒｉｏｄが修正期間を表す場合、修正期間を介して反復期間を間接的に通知することできる。間接的な通知には倍数関係を用い、この倍数関係はプロトコルを通じて固定されるかまたは構成され、端末に通知される。例えば、反復期間が修正期間の０.２５倍に設定され、反復期間と修正期間とが同時にまたは異なる時点で開始される。反復期間と修正期間とが同時に開始される場合、修正期間の開始時点を通知する必要がなく、反復期間と修正期間とが、異なる時点で開始される場合、修正期間の開始時点を通知する必要がある。ここで、このＰｍｃｃｈＯｆｆｓｅｔが表す送信オフセットは、修正期間と反復期間との両方の送信オフセットである。
【００５２】
したがって、指示情報に含まれるＰｍｃｃｈＰｅｒｉｏｄによって、ＭＢＭＳ制御チャネルを伝送する無線フレームおよび/またはサブフレームの出現期間情報と、ＭＢＭＳ制御チャネルの無線フレームおよび/またはサブフレームで伝送される制御シグナリングの反復期間情報および修正期間情報とを端末に同時に通知することができる。また、指示情報に含まれるＰｍｃｃｈＯｆｆｓｅｔによって、ＭＢＭＳ制御チャネルを伝送する無線フレームおよび/またはサブフレームの送信オフセット情報と、ＭＢＭＳ制御チャネルの無線フレームおよび/またはサブフレームで伝送される制御シグナリングの送信オフセット情報とを端末に同時に通知することができる。
【００５３】
なお、ＰｍｃｃｈＰｅｒｉｏｄとｒａｄｉｏＦｒａｍｅＡｌｌｏｃａｔｉｏｎＰｅｒｉｏｄとの間に間接的な倍数関係が成り立ち得る。すなわち、ネットワークが、ＰｍｃｃｈＰｅｒｉｏｄとｒａｄｉｏＦｒａｍｅＡｌｌｏｃａｔｉｏｎＰｅｒｉｏｄとの所定の倍数関係に基づき、ｒａｄｉｏＦｒａｍｅＡｌｌｏｃａｔｉｏｎＰｅｒｉｏｄを介してＰｍｃｃｈＰｅｒｉｏｄを端末に暗黙に通知することができる。これによって、倍数関係を通知する代わりにＰｍｃｃｈＰｅｒｉｏｄの通知を省略することができる。倍数関係が決まっている場合にはこの倍数関係の通知も省略することができる。ＰｍｃｃｈＯｆｆｓｅｔとｒａｄｉｏＦｒａｍｅＡｌｌｏｃａｔｉｏｎＯｆｆｓｅｔとの間にも間接的な倍数関係が成り立ち得る。すなわち、ネットワークが、ＰｍｃｃｈＯｆｆｓｅｔとｒａｄｉｏＦｒａｍｅＡｌｌｏｃａｔｉｏｎＯｆｆｓｅｔとの所定の倍数関係に基づき、ｒａｄｉｏＦｒａｍｅＡｌｌｏｃａｔｉｏｎＯｆｆｓｅｔを介してＰｍｃｃｈＯｆｆｓｅｔを端末に暗黙に通知することができる。これによって、倍数関係を通知する代わりにＰｍｃｃｈＯｆｆｓｅｔの通知を省略することができる。倍数関係が決まっている場合にはこの倍数関係の通知も省略することができる。  
【００５４】
ここで、ｅＮＢは、サブフレームの指示情報を通知する際、ビットマップ方式、サブフレーム番号を指示する方式、またはサブフレームを固定する方式で、ＭＢＭＳ制御チャネルを伝送する無線フレームにおいて実際にＭＢＭＳ制御チャネルを伝送するサブフレーム情報を端末に対して指示することができる。
【００５５】
２．制御シグナリングがユニキャストリソース、すなわち、ＤＬ−ＳＣＨで伝送される場合、ＭＢＭＳ制御チャネルを伝送する無線フレームは、非ＭＢＳＦＮ無線フレームとすることができ、ＭＢＭＳ制御チャネルを伝送するための無線フレームは、下記の変換関係式を満たす必要がある。
【００５６】
ＳＦＮ  ｍｏｄ  ＰｍｃｃｈＰｅｒｉｏｄ＝ＰｍｃｃｈＯｆｆｓｅｔ
式中、ＳＦＮがシステムフレーム番号を表し、０または正の整数の値をとる。ＬＴＥにおける最大のシステムフレーム番号は１０２３に規定されているため、ＳＦＮは０から１０２３までの整数の値をとり得る。ＰｍｃｃｈＰｅｒｉｏｄはＭＢＭＳ制御チャネルを伝送する無線フレームおよび/またはサブフレームの出現期間情報を表す。ＰｍｃｃｈＯｆｆｓｅｔはＭＢＭＳ制御チャネルを伝送する無線フレームおよび/またはサブフレームの送信オフセット情報を表し、ＳＦＮ＝０の無線フレームのオフセットに関して０またはＰｍｃｃｈＰｅｒｉｏｄ未満の正の整数の値をとる。ｍｏｄはＳＦＮのＰｍｃｃｈＰｅｒｉｏｄに対するモジュロ演算を表す。端末が上記指示情報に従って取得するＭＢＭＳ制御チャネルを伝送する無線フレームは、上記変換関係式を満たすＳＦＮに対応する無線フレームである。
【００５７】
なお、ＭＢＭＳ制御チャネルを伝送する無線フレームおよび/またはサブフレームの出現期間ＰｍｃｃｈＰｅｒｉｏｄは、ＭＢＭＳ制御チャネルの無線フレームおよび/またはサブフレームで伝送される制御シグナリングの反復期間であり、ＭＢＭＳ制御チャネルを伝送する無線フレームおよび/またはサブフレームの送信オフセットＰｍｃｃｈＯｆｆｓｅｔは、ＭＢＭＳ制御チャネルの無線フレームおよび/またはサブフレームで伝送される制御シグナリングの送信オフセットである。したがって、ｅＮＢは、ＭＢＭＳ制御チャネルを伝送する無線フレームおよび/またはサブフレームの出現期間、およびＭＢＭＳ制御チャネルの無線フレームおよび/またはサブフレームで伝送される制御シグナリングの反復期間をＰｍｃｃｈＰｅｒｉｏｄを介して端末に通知することができ、かつＭＢＭＳ制御チャネルを伝送する無線フレームおよび/またはサブフレームの送信オフセット、およびＭＢＭＳ制御チャネルの無線フレームおよび/またはサブフレームで伝送される制御シグナリングの送信オフセットをＰｍｃｃｈＯｆｆｓｅｔを介して端末に通知することができる。
【００５８】
また、本発明において、ｅＮＢから送信された指示情報に含まれるＰｍｃｃｈＰｅｒｉｏｄによって、ＭＢＭＳ制御チャネルの無線フレームおよび/またはサブフレームで伝送される制御シグナリングの反復期間または修正期間を表すことができる。実際の用途では、パラメータＰｍｃｃｈＰｅｒｉｏｄは、反復期間または修正期間のいずれか一方しか表すことができず、以下の２つのケースがある。
【００５９】
ＰｍｃｃｈＰｅｒｉｏｄが反復期間を表す場合、反復期間を介して修正期間を間接的に通知することができる。間接的な通知には倍数関係を用い、この倍数関係はプロトコルを通じて構成されるかまたは固定され、端末に通知される。例えば、修正期間が反復期間の４倍に設定され、反復期間と修正期間とが同時にまたは異なる時点で開始される。反復期間と修正期間とが同時に開始される場合、修正期間の開始時点を通知する必要がなく、反復期間と修正期間とが、異なる時点で開始される場合、修正期間の開始時点を通知する必要がある。この場合、このＰｍｃｃｈＯｆｆｓｅｔが表す送信オフセットは、修正期間と反復期間との両方の送信オフセットである。
【００６０】
ＰｍｃｃｈＰｅｒｉｏｄが修正期間を表す場合、修正期間を介して反復期間を間接的に通知することができる。間接的な通知には倍数関係を用い、この倍数関係はプロトコルを通じて配置されるかまたは固定され、端末に通知される。例えば、修正期間が反復期間の０．２５倍に設定され、反復期間と修正期間とが同時にまたは異なる時点で開始される。反復期間と修正期間とが同時に開始される場合、修正期間の開始時点を通知する必要がなく、反復期間と修正期間とが、異なる時点で開始される場合、修正期間の開始時点を通知する必要がある。この場合、このＰｍｃｃｈＯｆｆｓｅｔが表す送信オフセットは、修正期間と反復期間との両方の送信オフセットである。
【００６１】
したがって、指示情報に含まれるＰｍｃｃｈＰｅｒｉｏｄによって、ＭＢＭＳ制御チャネルを伝送する無線フレームおよび/またはサブフレームの出現期間情報と、ＭＢＭＳ制御チャネルの無線フレームおよび/またはサブフレームで伝送される制御シグナリングの反復期間情報および修正期間情報とを端末に同時に通知することができ、指示情報に含まれるＰｍｃｃｈＯｆｆｓｅｔによって、ＭＢＭＳ制御チャネルを伝送する無線フレームおよび/またはサブフレームの送信オフセット情報と、ＭＢＭＳ制御チャネルの無線フレームおよび/またはサブフレームで伝送される制御シグナリングの送信オフセット情報とを端末に同時に通知することができる。
【００６２】
ここで、ｅＮＢは、ビットマップ方式、サブフレーム番号を指示する方式、またはサブフレームを固定する方式で、ＭＢＭＳ制御チャネルを伝送する無線フレームにおいて実際にＭＢＭＳ制御チャネルを伝送するサブフレームの情報を端末に対して指示することができる。
【００６３】
上記上位層シグナリングは、システムブロードキャストメッセージ、無線リソース制御（ＲＲＣ：Radio Resource Control）メッセージ、または専用シグナリングであってもよい。
【００６４】
続いて、ステップ２０２において、端末が、無線フレームおよび/またはサブフレームの取得された指示情報に従って解析することによって、ＭＢＭＳ制御チャネルを伝送する無線フレームおよび/またはサブフレームを取得し、ＭＢＭＳ制御シグナリングを無線フレームおよび/またはサブフレームから読み取る。
【００６５】
端末は、当該端末と送信元端末との取り決めに従って指示情報を受信および解析し、指示情報に従って、ＭＢＭＳ制御チャネルを伝送する無線フレームおよび/またはサブフレームを受信する。
【００６６】
サブフレーム情報に関連する操作について、以下の実施形態で詳細に説明する。
【００６７】
以下、具体的な一実施形態を参照して、上記ＭＢＭＳ制御シグナリングの伝送方法を詳細に説明する。制御シグナリングをＭＣＨで伝送することを一例として、１つの無線フレームの持続時間が１０ミリ秒であり、かつ１つの無線フレームに１０個のサブフレームが含まれるとすると、１つのサブフレームの持続時間は１ミリ秒である。１つのＭＢＳＦＮ領域に関して、ネットワークネットワークは、この領域のＭＢＭＳの混雑情報および他の情報に従ってＭＢＭＳを伝送するための対応の無線フレームを構成し、この領域にＭＢＭＳを送信する。説明の便宜上、或るＭＢＳＦＮ領域においてＭＢＭＳを伝送する無線フレームは、以下の関係式を満たすと想定する。
【００６８】
ＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔ
式中、ｒａｄｉｏＦｒａｍｅＡｌｌｏｃａｔｉｏｎＰｅｒｉｏｄ＝４、かつｒａｄｉｏＦｒａｍｅＡｌｌｏｃａｔｉｏｎＯｆｆｓｅｔ＝０である。ｒａｄｉｏＦｒａｍｅＡｌｌｏｃａｔｉｏｎＰｅｒｉｏｄおよびｒａｄｉｏＦｒａｍｅＡｌｌｏｃａｔｉｏｎＯｆｆｓｅｔがシステムブロードキャストメッセージのＳＩＢ２を介して端末へ送信され、図３において斜線で示される、ＭＢＭＳを伝送するための無線フレームを取得する。ＭＢＭＳを伝送する各無線フレームは、マルチセルモードのＭＢＭＳの関連サービスデータを伝送するための少なくとも１つのサブフレームを含む。
【００６９】
ｅＮＢは、ｒａｄｉｏＦｒａｍｅＡｌｌｏｃａｔｉｏｎＰｅｒｉｏｄ＝４およびｒａｄｉｏＦｒａｍｅＡｌｌｏｃａｔｉｏｎＯｆｆｓｅｔ＝０をシステムブロードキャストメッセージを介して端末へ送信する。そして、端末は、ＳＦＮ  ｍｏｄ  ４＝０という変換関係式に従って解析することによって、ＭＢＭＳを伝送する無線フレーム（図３において斜線で示す）を取得することができる。
【００７０】
ＭＢＭＳ制御チャネルを伝送する無線フレームおよび/またはサブフレームの出現期間が３２０ミリ秒であるとすると、これが無線フレームの個数に変換される。つまり、３２個の無線フレームに対して１つのＭＢＭＳ制御チャネルとなり、ＰｍｃｃｈＰｅｒｉｏｄ＝３２に対応する。ｅＮＢが、構成されたＰｍｃｃｈＰｅｒｉｏｄ＝３２およびＰｍｃｃｈＯｆｆｓｅｔ＝０をシステムブロードキャストメッセージのシステム情報ブロック（ＳＩＢ：System Information Block）で端末へ送信する。そして、端末は、ＳＦＮ  ｍｏｄ  ３２＝０の変換関係式に従って解析することによって、ＭＢＭＳ制御チャネルを伝送する無線フレーム（図４において斜線で示す）を取得し、ＳＦＮ＝０、３２、６４、９６等に対応する無線フレームを算出することができる。
【００７１】
ｅＮＢが、構成されたＰｍｃｃｈＰｅｒｉｏｄ＝３２およびＰｍｃｃｈＯｆｆｓｅｔ＝４をシステムブロードキャストメッセージのＳＩＢで端末へ伝送および送信する場合、端末は、ＳＦＮ  ｍｏｄ  ３２＝４の変換関係式に従って解析することによって、ＭＢＭＳ制御チャネルを伝送する無線フレーム（図５において斜線で示す）を取得し、ＳＦＮ＝４、３６、６８、１００等に対応する無線フレームを算出することができる。パラメータＰｍｃｃｈＰｅｒｉｏｄが同時に、ＭＢＭＳ制御チャネルの無線フレームおよび/またはサブフレームで伝送されるＭＢＭＳ制御シグナリングの反復期間を表し、かつ反復期間が修正期間の４倍に設定される場合、このＭＢＭＳ制御シグナリングの反復期間が３２０ミリ秒（３２個の無線フレーム）になり、修正期間が１２８０ミリ秒（１２８個の無線フレーム）になり、かつ反復期間、修正期間、およびＭＢＭＳ制御チャネルの無線フレームおよび/またはサブフレームの、ＳＦＮ＝０の無線フレームに対するオフセットがいずれも４０ミリ秒（４個の無線フレーム）になる。
【００７２】
ｅＮＢが、構成されたＰｍｃｃｈＰｅｒｉｏｄ＝１６およびＰｍｃｃｈＯｆｆｓｅｔ＝０をシステムブロードキャストメッセージのＳＩＢで端末へ伝送および送信する場合、端末は、ＳＦＮ  ｍｏｄ  １６＝０の変換関係式に従って解析することによって、ＭＢＭＳ制御チャネルを伝送する無線フレーム（図６において斜線で示す）を取得し、ＳＦＮ＝０、１６、３２、４８等に対応する無線フレームを算出することができる。パラメータＰｍｃｃｈＰｅｒｉｏｄが同時に、ＭＢＭＳ制御チャネルの無線フレームおよび/またはサブフレームで伝送されるＭＢＭＳ制御シグナリングの反復期間を表し、かつＭＢＭＳ制御シグナリングの反復期間が修正期間の４倍に設定される場合、このＭＢＭＳ制御シグナリングの反復期間が１６０ミリ秒（１６個の無線フレーム）になり、修正期間が６４０ミリ秒（６４個の無線フレーム）になり、かつ反復期間、修正期間、およびＭＢＭＳ制御チャネルの無線フレームおよび/またはサブフレームの、ＳＦＮ＝０の無線フレームに対するオフセット情報がいずれも０ミリ秒となる（すなわち、ＳＦＮ＝０の無線フレーム上に制御チャネルおよび制御シグナリングが存在する）。
【００７３】
ｅＮＢが、構成されたＰｍｃｃｈＰｅｒｉｏｄ＝１６およびＰｍｃｃｈＯｆｆｓｅｔ＝４をシステムブロードキャストメッセージのＳＩＢで端末へ伝送および送信する場合、端末は、ＳＦＮ  ｍｏｄ  １６＝４の変換関係式に従って解析することによって、ＭＢＭＳ制御チャネルを伝送する無線フレーム（図７において斜線で示す）を取得し、ＳＦＮ＝４、２０、３６、５２等に対応する無線フレームを算出することができる。
【００７４】
ｅＮＢが、構成されたＰｍｃｃｈＰｅｒｉｏｄ＝１６およびＰｍｃｃｈＯｆｆｓｅｔ＝８をシステムブロードキャストメッセージのＳＩＢで端末へ伝送及び送信する場合、端末は、ＳＦＮ  ｍｏｄ  １６＝８の変換関係式に従って解析することによって、ＭＢＭＳ制御チャネルを伝送する無線フレーム（図８において斜線で示す）を取得し、ＳＦＮ＝８、２４、４０、５６等に対応する無線フレームを算出することができる。
【００７５】
実際の用途では、ＭＢＭＳ制御チャネルの無線フレームは、他の様々な方法で分配可能であるが、ここでは列挙しない。また、ＰｍｃｃｈＰｅｒｉｏｄがプロトコルにおいて規定されている場合、端末には確実にＰｍｃｃｈＰｅｒｉｏｄの値が分かり、ｅＮＢによりＰｍｃｃｈＰｅｒｉｏｄを端末に通知する必要がなく、ｅＮＢはＰｍｃｃｈＯｆｆｓｅｔの値を端末へ送信するだけでよい。これによって、シグナリングオーバーヘッドが低減される。
【００７６】
さらに、この実施形態において、ｅＮＢは、端末へＭＢＭＳ制御チャネルを伝送するサブフレーム情報を指示することができ、端末は、ＭＢＭＳ制御シグナリングを、ＭＢＭＳ制御チャネルを伝送する無線フレームにおける対応のサブフレームから読み取る。原則として、ＭＢＭＳ制御シグナリングは、ＭＢＳＦＮ無線フレームにおける任意のサブフレームで伝送することができるが、実際にはいくつかの取り決めに従って伝送される。例えば、いくつかの取り決めは次のようなものとすることできる。ＭＢＭＳを伝送するためのＭＢＳＦＮ無線フレームの、システムが構成した無線フレームでしかＭＢＭＳ制御チャネルが伝送されないように取り決められている場合、ＭＢＭＳ制御チャネルは、システムによって既に分配されているＭＢＭＳサブフレームでしか伝送されない。さらに詳細な説明を図９に示す。このサブフレームの制御領域において、ＭＢＭＳ制御チャネルを識別するための無線ネットワーク一時識別子（ＲＮＴＩ：Radio Network Temporary Identifier）を含む制御情報が伝送され、ＭＢＭＳ制御シグナリングがこのサブフレームのデータ領域で伝送される。制御領域のＲＮＴＩは、データ領域でのＭＢＭＳの具体的な位置情報および他の情報をさらに指示するＭＢＭＳ制御チャネルの制御情報を端末が取得することを補助するのに用いられる。端末は、ＭＢＭＳ制御チャネルを伝送する無線フレームにおけるサブフレームの制御領域情報を検出することで、ＭＢＭＳ制御チャネルを識別するためのＲＮＴＩの制御情報を見つけ、これによって、ＭＢＭＳ制御チャネルの制御情報を解析し、さらに制御情報によってＭＢＭＳ制御チャネルの具体的な位置を算出し、この算出された位置でＭＢＭＳ制御シグナリングを受信および解析する。
【００７７】
本発明の実施形態において、ｅＮＢは、ビットマップ方式、サブフレーム番号を指示する方式、またはサブフレームを固定する方式で、ＭＢＭＳ制御チャネルを伝送するサブフレームの情報を端末に対して指示する。
【００７８】
ビットマップ方式は次のようなものである。例えば、１０ビットを使用して、（図３に示す）無線フレームにおけるＭＢＭＳ制御チャネルを伝送するためのサブフレームを記述する。ＭＢＭＳ制御チャネルが、図３に示すサブフレーム＃１およびサブフレーム＃２で伝送される場合、ビットマップを使用するシグナリングは「０１１０００００００」となる。シグナリングにおけるビットが順に＃０〜＃９のサブフレームに対応し、ビット「１」は、ＭＢＭＳ制御チャネルを伝送するサブフレームを表す。
【００７９】
サブフレーム番号を指示する方式は次のようなものである。つまり、各無線フレームが１０個のサブフレームを含むことを考えると、ＭＢＭＳ制御チャネルを伝送するサブフレームを区別するために４ビットが必要であり、例えば、「０００１」が、ＭＢＭＳ制御チャネルを伝送するサブフレーム＃１を表し、「００１０」が、ＭＢＭＳ制御チャネルを伝送するサブフレーム＃２を表す。図３に示すように、ＭＢＭＳ制御チャネルがサブフレーム＃１およびサブフレーム＃２で伝送される場合、指示「０００１」および「００１０」によって端末に通知する。
【００８０】
サブフレームを固定する方式は次のようなものである。つまり、ＭＣＣＨを伝送するものとして既に指定された無線フレームで１つまたは複数のサブフレームによりＭＣＣＨが固定的に伝送されるように、ｅＮＢおよび端末によってデフォルト設定される。例えば、固定サブフレーム＃１により伝送する場合、ＭＣＣＨを伝送するものとして指定された無線フレームにおけるサブフレーム＃１でＭＣＣＨを伝送する。これにより、サブフレーム位置を指示するためのシグナリングオーバーヘッドを省略することができる。
【００８１】
上述した実施形態から分かるように、ＰｍｃｃｈＰｅｒｉｏｄとＰｍｃｃｈＯｆｆｓｅｔとが比較的に柔軟に構成されるため、ｅＮＢがＭＢＭＳ制御チャネルを送信することに柔軟性が加わり、無線フレームを柔軟に選択することができ、ｅＮＢのスケジューリングが容易になる。しかし、実際の用途ではシグナリングオーバーヘッドを考慮しなければいけないため、ＭＢＭＳ制御チャネルを伝送するための無線フレームを選択することに一定の制限が課される。
【００８２】
本発明の実施形態において、ＰｍｃｃｈＯｆｆｓｅｔの値は、一般的に、ＰｍｃｃｈＰｅｒｉｏｄ未満の任意の正の整数とすることができる。しかしながら、実際の用途では、ＭＢＭＳ制御シグナリングの送信およびＭＢＭＳとの調整を容易にするとともにシグナリングオーバーヘッドを低減させるために、ＰｍｃｃｈＯｆｆｓｅｔの値とｒａｄｉｏＦｒａｍｅＡｌｌｏｃａｔｉｏｎＯｆｆｓｅｔの値とが等しくなるように取り決められる。これによって、端末はｒａｄｉｏＦｒａｍｅＡｌｌｏｃａｔｉｏｎＯｆｆｓｅｔの値から直接ＰｍｃｃｈＯｆｆｓｅｔの値を知ることができるため、ＰｍｃｃｈＯｆｆｓｅｔの値を端末に通知する必要がなくなる。結果的に、本発明の柔軟性は下がるが、システムブロードキャストメッセージでＰｍｃｃｈＰｅｒｉｏｄのみが端末に通知され、ＰｍｃｃｈＯｆｆｓｅｔがｒａｄｉｏＦｒａｍｅＡｌｌｏｃａｔｉｏｎＯｆｆｓｅｔを介して暗黙に通知されるため、シグナリングオーバーヘッドが低減される。
【００８３】
また、プロトコルを通じてＰｍｃｃｈＰｅｒｉｏｄを或る固定値に設定することでも、シグナリングオーバーヘッドを低減させることができる。さらに、ＰｍｃｃｈＰｅｒｉｏｄとｒａｄｉｏＦｒａｍｅＡｌｌｏｃａｔｉｏｎＰｅｒｉｏｄとの間に対応関係を確立することができ、ｒａｄｉｏＦｒａｍｅＡｌｌｏｃａｔｉｏｎＰｅｒｉｏｄを介してＰｍｃｃｈＰｅｒｉｏｄを暗黙に通知することができる。例えば、ＰｍｃｃｈＰｅｒｉｏｄとｒａｄｉｏＦｒａｍｅＡｌｌｏｃａｔｉｏｎＰｅｒｉｏｄとが倍数関係にある（ＰｍｃｃｈＰｅｒｉｏｄがｒａｄｉｏＦｒａｍｅＡｌｌｏｃａｔｉｏｎＰｅｒｉｏｄの４倍である）ことで、ｒａｄｉｏＦｒａｍｅＡｌｌｏｃａｔｉｏｎＰｅｒｉｏｄと倍数関係「４」とを通知する場合にのみ、端末がｒａｄｉｏＦｒａｍｅＡｌｌｏｃａｔｉｏｎＰｅｒｉｏｄにより間接的にＰｍｃｃｈＰｅｒｉｏｄの値を取得することができる。
【００８４】
さらに、本発明の一実施形態では、ＭＢＭＳ制御シグナリングがＰｍｃｃｈＰｅｒｉｏｄ毎にまたはＰｍｃｃｈＰｅｒｉｏｄがいくつか連続した後に更新されることができるように設定可能である。例えば、ＭＢＭＳおよびＭＢＭＳの特徴に応じて、ＭＢＭＳ制御シグナリングを或る固定期間に設定することができる。ここで、固定期間は、３２０ミリ秒、６４０ミリ秒、１６０ミリ秒等が好ましい。いくつか連続した反復期間内に同じ内容を送信するように、かつ更新を許可しないようにＭＢＭＳ制御シグナリングを設定した場合、いくつか連続した反復期間は１つの修正期間として定義され、修正期間に達したときだけ更新が許可される。例えば、ＭＢＭＳ制御シグナリングの反復期間を３２０ミリ秒に、修正期間を１２８０ミリ秒に設定し、４連続の反復期間内のＭＢＭＳ制御シグナリングの更新を禁止する。ＭＢＭＳ制御シグナリングの反復期間情報がシステムブロードキャストメッセージで伝送されるため、ＭＢＭＳ制御チャネルを伝送する無線フレームおよび/またはサブフレーム上の制御シグナリングの反復期間および修正期間がそれぞれシステムブロードキャストメッセージの反復期間および修正期間と一致するように設定されるか、または、ＭＢＭＳ制御チャネルを伝送する無線フレームおよび/またはサブフレーム上の制御シグナリングの修正期間がシステムブロードキャストメッセージの修正期間と一致するように設定されることが好ましい。これによって、ＭＢＭＳ制御チャネルを伝送する無線フレームおよび/またはサブフレーム上の制御シグナリングの反復期間または修正期間が変化するときに、伝送されたＭＢＭＳの反復期間または修正期間を指示するためのシステムブロードキャストメッセージ上の情報が変化する。
【００８５】
制御シグナリングをＤＬ−ＳＣＨで伝送する実施形態は、制御シグナリングをＭＣＨで伝送する実施形態と実質的に同一のものであるため、重複した説明はしない。制御シグナリングをＤＬ−ＳＣＨで伝送する実施形態の、上記実施形態との相違点は、ＭＢＭＳ制御チャネルを伝送する無線フレームを非ＭＢＳＦＮ無線フレームとすることができ、ＳＦＮ  ｍｏｄ  ＰｍｃｃｈＰｅｒｉｏｄ＝ＰｍｃｃｈＯｆｆｓｅｔという変換関係式だけが必要とされることで、ＳＦＮ  ｍｏｄ  ｒａｄｉｏＦｒａｍｅＡｌｌｏｃａｔｉｏｎＰｅｒｉｏｄ＝ｒａｄｉｏＦｒａｍｅＡｌｌｏｃａｔｉｏｎＯｆｆｓｅｔの構成プロセスを省略することができることである。
【００８６】
上述したＭＢＭＳ制御シグナリングの伝送方法を実現するために、本発明は、ＭＢＭＳ制御シグナリングの伝送システムをさらに提供する。図１０に示すように、このシステムは、互いに接続されるネットワーク１０と、端末２０とから構成される。ネットワーク１０は、ＭＢＭＳ制御チャネルを伝送する無線フレームおよび/またはサブフレームの指示情報を上位層シグナリングを介して端末２０へ送信し、ＭＢＭＳ制御チャネルを伝送する無線フレームおよび/またはサブフレームを介して端末２０へＭＢＭＳ制御シグナリングを送信する。端末２０は、無線フレームおよび/またはサブフレームの送信された指示情報に従って解析することによって、ＭＢＭＳ制御チャネルを伝送する無線フレームおよび/またはサブフレームを取得し、ＭＢＭＳ制御シグナリングを無線フレームおよび/またはサブフレームから読み取る。
【００８７】
本発明において、ＭＢＭＳ制御チャネルは、ＭＣＣＨ、Ｐ−ＭＣＣＨ、Ｓ−ＭＣＣＨ、ＭＩＣＨまたはＭＴＣＨである。
【００８８】
ＭＢＭＳ制御チャネルを伝送する無線フレームおよび/またはサブフレームの指示情報は、ＭＢＭＳ制御チャネルを伝送する無線フレームおよび/またはサブフレームの出現期間情報および送信オフセット情報と、ＭＢＭＳ制御チャネルの無線フレームおよび/またはサブフレーム上で伝送される制御シグナリングの送信オフセット情報と、ＭＢＭＳ制御チャネルの無線フレームおよび/またはサブフレームで伝送される制御シグナリングの反復期間情報および修正期間情報とのうちの少なくとも１つを含む。
【００８９】
ＭＢＭＳ制御チャネルを伝送する無線フレームおよび/またはサブフレームの指示情報は、ＭＢＳＦＮ無線フレーム期間と、ＭＢＳＦＮ無線フレームオフセットとをさらに含む。
【００９０】
結論として、本発明によれば、システム側によるＭＢＭＳ制御シグナリングの送信と、端末によるＭＢＭＳ制御シグナリングの受信とのランダム性が解消され、端末のシグナリングオーバーヘッドが低減され、端末の節電が容易になる。さらに、ＭＢＭＳ制御チャネルを伝送する無線フレームおよび/またはサブフレームの指示情報を柔軟に構成することができることで、ネットワークがＭＢＭＳ制御シグナリングを送信することに柔軟性が加わる。また、ＭＢＭＳ制御チャネルを伝送するサブフレームを柔軟に選択することができ、ネットワークのスケジューリングが容易になる。
【００９１】
上述したものは、本発明の好適な実施形態に過ぎず、本発明の特許請求の範囲を限定するものではない。
【図１】
0005461681.tif 000002
【図２】
0005461681.tif 000003
【図３】
0005461681.tif 000004
【図４】
0005461681.tif 000005
【図５】
0005461681.tif 000006
【図６】
0005461681.tif 000007
【図７】
0005461681.tif 000008
【図８】
0005461681.tif 000009
【図９】
0005461681.tif 000010
【図１０】
0005461681.tif 000011